(57)【要約】  本発明は、歯槽骨に固定されるフィクスチャ、該フィクスチャに結合され、人工歯が付着されるアバットメント、およびフィクスチャとアバットメントを結合する結合要素を含む歯科用インプラント構造物に関し、本発明に係る歯科用インプラント構造物において、フィクスチャは歯槽骨に固定される下部とアバットメントが結合される上部とを含み、フィクスチャ下部の表面にはその一部または全体に歯槽骨に固定されるための第１ネジが形成され、フィクスチャ下部は該第１ネジの回転軸線に沿って延びる形状を有し、フィクスチャ上部の表面にはその一部または全体に第２ネジが形成され、フィクスチャ上部は該第２ネジの回転軸線に沿って延びる形状を有し、アバットメントには下端からフィクスチャ上部が挿入される内側の空洞が備えられ、その外側表面には人工歯が付着される表面が備えられ、結合要素は内側にフィクスチャ上部の第２ネジと結合される第３ネジが形成される。
2019524384.tif 000002
【特許請求の範囲】
【請求項１】
歯槽骨に固定されるフィクスチャ、該フィクスチャに結合され、人工歯が付着されるアバットメント、およびフィクスチャとアバットメントを結合する結合要素を含む歯科用インプラント構造物であって、
フィクスチャは歯槽骨に固定される下部とアバットメントが結合される上部とを含み、フィクスチャ下部の表面にはその一部または全体に歯槽骨に固定されるための第１ネジが形成され、フィクスチャ下部は該第１ネジの回転軸線に沿って延びる形状を有し、フィクスチャ上部の表面にはその一部または全体に第２ネジが形成され、フィクスチャ上部は該第２ネジの回転軸線に沿って延びる形状を有し、
アバットメントには下端からフィクスチャ上部が挿入される内側の空洞が備えられ、その外側表面には人工歯が付着される表面が備えられ、
結合要素は、内側にフィクスチャ上部の第２ネジと結合される第３ネジが形成され、該第３ネジの回転軸線に沿って延びる形状を有し、
結合要素の一部または全体がアバットメントの空洞に挿入され、結合要素の周縁表面の一部または全体がアバットメント空洞の周縁表面と当接し、
結合要素の第３ネジとフィクスチャ上部の第２ネジが互いに結合され、アバットメントはその一部または全体が第２ネジの回転軸線の方向に結合要素とフィクスチャとの間に置かれ、
第３ネジと第２ネジの結合により結合要素がアバットメントをフィクスチャ下部側に圧迫するように構成され、フィクスチャ上部には結合要素の圧迫に対してアバットメントを支持する表面が備えられることによってアバットメントがフィクスチャに固定される、歯科用インプラント構造物。
【請求項２】
アバットメント空洞の周縁表面の一部または全体と結合要素の周縁表面はフィクスチャ下部に向かって直径方向内側に傾斜する傾斜面に形成されて互いに当接することによって、アバットメントが結合要素とフィクスチャとの間に固定支持される、請求項１に記載の歯科用インプラント構造物。
【請求項３】
アバットメントの空洞には結合要素の下端面が当接する表面が備えられることによって、アバットメントが結合要素とフィクスチャとの間に固定支持される、請求項１に記載の歯科用インプラント構造物。
【請求項４】
結合要素にはアバットメントの上端面が当接する表面が備えられることによって、アバットメントが結合要素とフィクスチャとの間に固定支持される、請求項１に記載の歯科用インプラント構造物。
【請求項５】
アバットメントの空洞には直径方向内側に突出する突出部が備えられ、該突出部の上端面と結合要素の下端面が当接し、突出部の下端面とフィクスチャ上部が当接して、アバットメントがフィクスチャに固定支持される、請求項１に記載の歯科用インプラント構造物。
【請求項６】
フィクスチャ上部には第２ネジの回転軸線からの距離に偏差を有する周縁面が備えられ、アバットメントの空洞には該周縁面と噛み合う表面が備えられることによって、フィクスチャに対するアバットメントの回転が防止される、請求項１〜５のいずれか１項に記載の歯科用インプラント構造物。
【請求項７】
前記周縁面は、多角形、楕円形またはその中心が第２ネジの回転軸線から偏心する円形のいずれか一つの形態を有する、請求項６に記載の歯科用インプラント構造物。
【請求項８】
フィクスチャ上部には第２ネジの回転軸線の長さ方向に平行した方向に延びる突起が形成され、アバットメントには該突起と噛み合う溝が形成される、請求項１〜５のいずれか１項に記載の歯科用インプラント構造物。
【請求項９】
アバットメントには第２ネジの回転軸線の長さ方向に平行した方向に延びる突起が形成され、フィクスチャ上部には該突起と噛み合う溝が形成される、請求項１〜５のいずれか１項に記載の歯科用インプラント構造物。
【請求項１０】
フィクスチャ下部の表面には歯槽骨との癒着面積が増大するようにその材料の一部が除去され、第１ネジの回転軸線に向かって第１ネジの溝の内側に窪んで形成される癒着面、またはフィクスチャ下部を囲む歯槽骨の最小厚さが維持され、フィクスチャ下部と歯槽骨間の癒着面積が増大するように第１ネジの回転軸線に向かって第１ネジの溝の内側に延び、扁平面または曲面に形成される癒着面がフィクスチャ下部の上端からフィクスチャ下部の長さ方向下方に延びて形成される、請求項１〜５のいずれか１項に記載の歯科用インプラント構造物。
【発明の詳細な説明】
【技術分野】
【０００１】
本発明は、人工歯の植立に用いられる歯科用インプラント構造物、具体的には、人工歯の植立時に歯槽骨組織に固定されて歯根として機能し、人工歯が付着される、歯科用インプラント構造物に関する。
【背景技術】
【０００２】
歯科用インプラント構造物は、歯が損失または喪失された時、人工歯根を形成するように歯槽骨組織に植立されて人工歯が付着されるものであって、歯科用インプラント構造物が歯槽骨組織に挿入されて周りの歯槽骨組織と癒着すれば、その上に人工歯を付着する。
【０００３】
歯科用インプラント構造物は、歯槽骨に挿入されて周りの歯槽骨組織と癒着して固定されるフィクスチャ（ｆｉｘｔｕｒｅ）、およびフィクスチャの上側に結合されて人工歯が付着されるアバットメント（ａｂｕｔｍｅｎｔ）と呼ばれる要素を含む。
【０００４】
従来の歯科用インプラント構造物は、フィクスチャの中心に長さ方向にネジが形成されたホールを形成し、アバットメントには上端から下端に貫通するホールを形成し、ホールの中間には段差を形成して、アバットメントの上端からスクリューを挿入してスクリュー頭が段差に支持され、スクリューのネジがフィクスチャに形成したホールのネジと結合されることで、アバットメントがフィクスチャに固定される構成を取る。
【０００５】
このような従来技術による歯科用インプラント構造物の通常の形態を図１に示す。
【０００６】
図１に示された歯科用インプラント構造物１００は、サブマージドタイプ（ｓｕｂｍｅｒｇｅｄ  ｔｙｐｅ）と呼ばれるものであって、表面にネジ山１１１が形成された円筒形のフィクスチャ１１０が歯槽骨１０に植立され、フィクスチャ１１０の上端から下部に行くほど直径が小さくなる傾斜した表面を有する取付け面１１２が直径方向内側に形成され、取付け面１１２の中心には締結ネジ１３０が締結されるネジ１１４が形成された締結穴１１３が形成されている。
【０００７】
アバットメント１２０は、下端に行くほど直径が小さくなってフィクスチャの取付け面１１２と当接する円周型の下部１２２と、上端に行くほど直径が小さくなる円周型の上部１２１とからなり、下部１２２がその下端からフィクスチャ１１０の取付け面１２２に挿入され、その一部が取付け面１１２に置かれて支持されている。
【０００８】
アバットメント１２０の中心には締結穴１２３が上端から下端まで貫通して形成されており、締結穴１２３の長さ方向の中間地点から下端までの下部はその上部に比べて直径が小さくて、締結穴１２３の上部と下部との間に段差１２４が形成されている。
【０００９】
フィクスチャ１１０が歯槽骨１０に植立された後にフィクスチャ１１０の取付け面１１２にアバットメント１２０の下部１２２が置かれて当接して支持され、アバットメント１２０の上端から締結穴１２３に締結ネジ１３０を挿入して締結ネジ１３０の下部に形成したネジ１３１がフィクスチャ１１０の締結穴１１３に形成したネジ１１４と結合され、締結ネジ１３０のヘッド１３２はアバットメント１２０の締結穴１２３に形成された段差１２４に支持される。
【００１０】
この状態で、アバットメント１２０の上部１２１に人工歯であるクラウン１４０をセメントで接着することによってクラウンの植立が完了する。このような構造で、アバットメント１２０の上部１２１のうちフィクスチャ１１０の取付け面１１２に挿入されていない残りの部分は歯肉２０と当接した状態となる。
【００１１】
ところで、このような構成を有する従来技術による歯科用インプラント構造物は幾つかの深刻な問題がある。
【００１２】
歯科用インプラント構造物において最上端に配置されるクラウンは、食物を噛むなどの過程で作用する咬合荷重を受ける。咬合荷重は、クラウンが固定されるアバットメントを経てフィクスチャと締結ネジのネジ結合部位およびアバットメントがフィクスチャに当接して支持される部分に加えられる。
【００１３】
クラウンに作用する咬合荷重は、クラウンの中心に垂直方向にのみ作用するのではなく垂直方向に対して傾斜した方向にも作用し、クラウンの中心から脱した位置にも加えられ、このような咬合荷重の水平成分は、フィクスチャと締結ネジのネジ結合部位に水平方向の荷重として作用する。
【００１４】
ここで、「垂直方向」は、歯科用インプラント構造物が植立される方向、すなわち、概して円周型に形成されるフィクスチャとアバットメントの軸線方向を意味し、「水平方向」は、垂直方向に垂直した平面に平行した方向を意味する。本明細書においては、「垂直方向」と「水平方向」という用語を前述した定義に従って使用することにする。
【００１５】
クラウンに作用する咬合荷重によってフィクスチャとアバットメントのネジ結合部位に作用する応力はネジ結合の緩みを招き、特に咬合荷重による水平方向の応力はネジ結合の緩み現象をさらに促進させる。ネジ結合はネジ面に概して垂直した方向での荷重に対しては強い支持力を示すが、ネジ面に水平な方向での荷重に対してはぜい弱であるためである。
【００１６】
歯を使用するに伴って発生する咬合荷重は、持続的に締結ネジに作用して締結ネジが緩む現象を生じさせ、激しい場合には締結ネジの破折も招く。
【００１７】
したがって、歯槽骨組織へのフィクスチャの植立および癒着が成功的になされてインプラント施術が成功的になされた後にも、アバットメントをフィクスチャに固定する締結ネジの緩み現象により、クラウンを除去し締結ネジを再び締め付ける施術を持続的に受けなければならない。
【００１８】
このような施術を受けずに放置する場合には、締結ネジの緩みによってアバットメントとフィクスチャとの間に間隙が発生して歯肉炎および口腔悪臭を招き、これは歯槽骨の炎症に進められて歯槽骨組織が吸収されてしまうという問題も招く。
【００１９】
特に、噛む習慣に応じて強い咬合荷重を受けたり、締結ネジの緩んだ状態を長期間放置することで締結ネジが強い荷重を受けたり、持続的に揺れることによって締結ネジが破折したりして、フィクスチャの再植立を含むインプラント施術を再び受けなければならない場合も頻繁に発生する。
【００２０】
図１に示された従来技術による歯科用インプラント構造物１００においては、フィクスチャ１１０の上部に上端から下方にフィクスチャの内側に取付け面１１２を形成するため、フィクスチャ１１０上部の外壁厚さが非常に薄くなる。
【００２１】
したがって、クラウンに作用する咬合荷重がフィクスチャの外壁またはアバットメントの外壁に作用して、フィクスチャの外壁やアバットメントの外壁が破折するという問題も発生したりする。
【００２２】
このような従来技術による歯科用インプラント構造物の問題を解決したものとして、本発明の発明者により導き出された発明が大韓民国特許公報第１５５９８２３号（文献１）に開示されている。
【００２３】
図２には、文献１に開示された歯科用インプラント構造物の一つの実施形態が示されている。
【００２４】
文献１の歯科用インプラント構造物２００において、フィクスチャ２１０が歯槽骨１０に植立され、フィクスチャ２１０は上部２１１と下部２１２に区分される。フィクスチャ下部は円周型の表面にネジ２１６が形成されて歯槽骨１０に植立され、ネジはフィクスチャが歯槽骨に植立されて歯槽骨組織との癒着がなされるようにする。
【００２５】
フィクスチャ上部２１１の表面の全部あるいは一部にネジ２１７が形成されている。
【００２６】
アバットメント２２０は、外側表面にクラウン２３０が付着される上部２２１と、歯肉２０に当接し、アバットメントの上部２２１とフィクスチャとの間の連結部として機能する下部２２２とからなっている。
【００２７】
アバットメントの上部から下部の下端までは空洞２２３が形成されており、該空洞にはネジ２２４が形成されてフィクスチャ上部のネジ２１７と締結される。フィクスチャを歯槽骨に植立した後、アバットメントの空洞にフィクスチャ上部を挿入し、フィクスチャのネジ２１７とアバットメントのネジ２２４が結合することによって、アバットメントがフィクスチャ２１０に結合される。
【００２８】
このような文献１の歯科用インプラント構造物は、図１に示された従来のサブマージドタイプの歯科用インプラント構造物に比べて大きな長所を有する。
【００２９】
文献１の歯科用インプラント構造物においては、図１のサブマージドタイプの歯科用インプラント構造物に比べて、クラウンの上端面に同一な咬合荷重が作用する時、これにより、フィクスチャとアバットメントの結合部位のネジ山に作用する水平方向の応力が小さくなる。
【００３０】
クラウンに作用する咬合荷重によってアバットメントとフィクスチャを締結するネジ山に作用する応力にアバットメントとフィクスチャの構造が及ぼす影響を図４を参照して説明する。
【００３１】
図４における記号は次のことを意味する。
Ｆ１：クラウン上端に傾斜した方向に作用する咬合荷重
Ｆｘ：クラウン上端に加えられる咬合荷重の水平成分
Ｆｚ：クラウン上端に加えられる咬合荷重の垂直成分
Ｆ２：クラウン上端の側部に作用する咬合荷重
ｆｘ：ネジの長さ方向の中間に加えられる水平応力
ｆｚ：ネジの長さ方向の中間に加えられる垂直応力
Ｌ１：クラウン上端からネジの長さ方向の中間までの垂直距離
Ｌ２：ネジの軸線またはフィクスチャの中心からネジの中心までの水平距離
Ｔ：咬合荷重によってフィクスチャの軸線からネジの長さ方向の中心に該当する位置に加えられるトルク
【００３２】
図４において、左側には図１に示された従来技術によるサブマージドタイプのインプラント構造物の断面が示されており、右側には文献１の発明に係る歯科用インプラント構造物の断面が示されている。図面上、理解の便宜と構造上の差異点の対比のために二つのインプラント構造物を同一な寸法で示したが、両者の構造の差により、距離Ｌ１とＬ２の長さは相当な差がある。
【００３３】
先ず、クラウン上端に傾斜して作用する咬合荷重Ｆ１は、水平成分Ｆｘと垂直成分Ｆｚに分けることができる。
【００３４】
咬合荷重の垂直成分Ｆｚはフィクスチャとアバットメントのネジ結合部のネジ山の表面にほぼ垂直応力ｆｚとして作用するが、水平成分Ｆｘはネジ結合部のネジ山に対して水平応力ｆｘとして作用する。咬合荷重の水平成分Ｆｘと水平応力ｆｘは次のような関係を有する。
Ｆｘ＊Ｌ１＝Ｔ＝ｆｘ＊Ｌ２
したがって、ｆｘ＝Ｆｘ＊Ｌ１／Ｌ２
【００３５】
すなわち、フィクスチャとアバットメントのネジ結合部に作用する水平応力は同一な咬合荷重に対してＬ１が大きくなるほど大きくなり、Ｌ２が大きくなるほど小さくなる。
【００３６】
言い換えれば、フィクスチャとアバットメントのネジ結合部に作用する水平応力はクラウンの上端からネジ結合部までの垂直距離が大きくなるほど大きくなり、フィクスチャの中心からネジまでの水平距離、すなわち、ネジの直径が大きくなるほど小さくなる。
【００３７】
また、クラウン上端の側部に作用する咬合荷重によってフィクスチャとアバットメントのネジ結合部に作用する水平応力は次のような関係を有する。
Ｆ２＊Ｌ３＝Ｔ＝ｆｘ＊Ｌ２
ｆｘ＝Ｆ２＊Ｌ３／Ｌ２
【００３８】
上記の式によれば、Ｌ３とＦ２は同一な条件で、咬合荷重Ｆ２によってフィクスチャとアバットメントのネジ結合部に作用する水平応力ｆｘは、ネジの直径Ｌ２が大きくなるほど小さくなる。
【００３９】
言い換えれば、クラウン上端の側部に作用する咬合荷重によってフィクスチャとアバットメントのネジ結合部に作用する水平応力は、フィクスチャの中心軸線からネジまでの水平距離、すなわち、ネジの直径が大きくなるほど小さくなる。
【００４０】
このような関係に基づいて従来のサブマージドタイプの歯科用インプラント構造物１００と文献１の歯科用インプラント構造物２００を対比してみると、文献１の歯科用インプラント構造物２００においては、フィクスチャ２１０とアバットメント２２０が結合されるネジ２１７、２２４が歯槽骨の上端上側に配置されるため、クラウン上端からネジ結合部までの垂直距離Ｌ１が短く、また、別の結合ネジを使用せずフィクスチャ上部２１１の外部表面にネジ２１７を形成し、アバットメントそのものにネジ２２４を直接形成して両者を結合するため、ネジの半径、すなわち、距離Ｌ２を大きくすることができる。
【００４１】
したがって、文献１の発明に係る歯科用インプラント構造物においては、Ｌ１は小さく、そしてＬ２は大きくなるため、咬合荷重Ｆ１、Ｆ２によってフィクスチャとアバットメントを結合するネジに作用する応力が最小化する。
【００４２】
その反面、従来技術によるサブマージドタイプの歯科用インプラント構造物１００においては、フィクスチャ１１０とアバットメント１２０を結合する締結ネジ１３０が全体インプラント構造物の下部にて締結されるため、クラウン１４０上端からネジ締結部までの垂直距離Ｌ１が長く、また、締結ネジ１３０がフィクスチャ１１０の内側に形成される締結穴１１３に結合されるため、ネジの直径を大きくすることができなかった。
【００４３】
したがって、従来技術によるサブマージドタイプの歯科用インプラント構造物１００においては、Ｌ１は大きく、そしてＬ２は小さくなるため、咬合荷重Ｆ１、Ｆ２によってフィクスチャとアバットメントを結合するネジに作用する応力が大きくなる。
【００４４】
このように、文献１の歯科用インプラント構造物は、従来技術によるサブマージドタイプの歯科用インプラント構造物との構造的な差により、クラウンに作用する咬合荷重によってアバットメントとフィクスチャを結合するネジに水平方向に作用する応力が最小化し、よって、水平方向に作用する応力によってネジが緩んだり破折したりする問題の発生が最小化する。
【００４５】
一方、また他の従来技術による歯科用インプラント構造物として、文献１の歯科用インプラント構造物のように、フィクスチャとアバットメントを連結固定するネジ結合部位が歯槽骨の上端上側に配置されているものとして、大韓民国特許公報第０９３８９９１号（文献２）に開示された歯科用インプラント構造物がある。
【００４６】
文献２の歯科用インプラント構造物の構成について図３を参照して説明する。
【００４７】
図３に示されたフィクスチャ２５１の下側には歯槽骨内に植立される植立部２６１が形成され、植立部の上部にテーパー部２６２が形成され、テーパー部の上部にポスト部２６３が形成され、ポスト部の周縁にネジ溝２６３ａが形成されている。アバットメント２５２の下部にはポスト溝２７１が形成され、ポスト溝２７１の内部に形成されたネジ山とポスト部２６３のネジ溝２６３ａ間の結合によってアバットメント２５２がフィクスチャ２５１に固定される。
【００４８】
また、ポスト部２６３のネジ溝２６３ａが除去されて生成された複数の平面部２６３がネジの曲線部と交差してポスト部２６３の周縁をなし、平面部２６３はアバットメント２５２を回転させる工具と噛み合うようになる。
【００４９】
このような構造を有した歯科用インプラント構造物は、ミニインプラントとも呼ばれ、通常、咬合荷重が弱く掛かる前歯の修復に使われるか、または短期間の臨時補綴の支持のために使われる。
【００５０】
このような用途として使われるミニインプラントは、アバットメントをフィクスチャに連結する時には通常セメント接着やマレットなどでアバットメントに加圧する摩擦接着式を用いるが、文献２のミニインプラント構造物は、簡単で容易に安定した固定を得るためにネジ結合式を用いるように考案されたものである。
【００５１】
一方、文献２のインプラント構造物においても、アバットメント２の上端からネジ結合部までの距離が従来のサブマージドタイプの歯科用インプラント構造物１００における距離より短いため、文献１のインプラント構造物のようにネジの緩み現象が減少するという付随的な効果がある。
【００５２】
しかし、複数の平面部１３１によってネジの相当な部位が損なわれてネジ結合力が顕著に減少するため、その効果が相殺されてしまう。その結果、従来技術によるサブマージドタイプの歯科用インプラント構造物と同様に、ネジ結合が緩み易いという問題が発生する。
【００５３】
このように、文献１の発明に係る構成を有する歯科用インプラント構造物は従来技術によるサブマージドタイプの歯科用インプラント構造物や文献２の発明に係る歯科用インプラント構造物におけるフィクスチャとアバットメントを結合するネジの緩みや破折の恐れを解消したものであるが、これらの歯科用インプラント構造物も既存のインプラントと同様の問題を有している。
【００５４】
歯科用インプラント構造物におけるアバットメントは、それが代替しようとする自然歯の形状に合わせて様々な形状をなすことが好ましい。前歯の場合は、食物を切断する役割をし、歯の上下方向に延びる長さ方向軸線を基準に歯冠の末端中心が相当に偏心し、傾斜が激しい非対称の形状をなしているため、本来側方に咬合荷重が多く作用し、また、歯冠の大きさも歯の長さ方向軸線から歯冠表面までの長さの偏差がある形状を有するため、人工歯が付着されるアバットメントも非対称の傾斜した形態を有してこそ審美的に形成された人工歯が付着できる。
【００５５】
奥歯の場合は、食物を石臼のようにすりつぶす役割をするので咬合荷重が強く作用し、特に食物が歯間に挟まったり歯ぐきにくっつきやすい。また、傾斜はないものの、歯の長さ方向軸線から歯冠表面までの長さの偏差が前歯より激しい形状を有するため、アバットメントもそれに相応する形態を有してこそ本来の機能を円滑に行うことができ、食物が挟まったりくっついたりしない。
【００５６】
しかし、このような形態のアバットメントを採択するには、文献１または文献２の発明に係るインプラント構造物は限界がある。文献１の発明に係るインプラント構造物は、フィクスチャとアバットメントにネジを形成し、アバットメントを回転させてフィクスチャにネジ結合させる方法を取っているため、アバットメントの回転時にフィクスチャの植立部位周辺の歯とアバットメントが干渉しないように、アバットメントはその回転軸線から周縁表面までの距離を均等な形態、すなわち、円形にならなければならないため、その結果、既存のインプラント方式よりネジが遥かに少なめに緩むという長所にもかかわらず、アバットメントを十分に大きく形成することもできず、自然歯の形状に合わせた非対称の様々な形状にすることが難いという問題がある。
【００５７】
これに応じた問題として、文献１の発明に係るインプラント構造物を前歯に適用する時、前述した理由により、既存の円形のアバットメントを結合する時に口腔内でアバットメントを直接削除して傾斜を作らなければならない煩わしさがある。
【００５８】
このような従来技術によるインプラント構造物を大きい咬合荷重が作用する奥歯に適用する場合、人工歯を小さい円形のアバットメントに接着すれば、人工歯に対する維持力が小さくなるため、最終接着後にも人工歯が早期脱落する現象が発生する。
【００５９】
また、前述したように、奥歯部位に食物が歯間や歯ぐきに挟まったりくっついたりせず人工歯が隣接した歯および歯ぐきとの調和のとれた関係をなすために歯間の適切な孔隙と歯間の適切な接触（ｐｒｏｘｉｍａｌ  ｃｏｎｔａｃｔ）を形成するのが必須であるが、円形の小型アバットメントではこれを達成するのが不可能である。
【００６０】
仮に適切な歯間の孔隙と歯間の接触がなされない場合には、口腔衛生管理が難しくてインプラントの長期予後が悪くなる。
【００６１】
一方、図１に示された従来技術によるインプラントの場合も理論的には様々な形状を有した非対称の大型アバットメントを採択することはできるが、実際に使うのが不可能であるのは同様である。
【００６２】
その理由は、自然歯における歯冠形態に相応する非対称の大型アバットメントを採択する場合、円形の小型アバットメントよりフィクスチャそのものとネジ結合部位に物理的ストレスが加重するため、ネジの緩み現象とそれに応じたフィクスチャやアバットメントあるいはネジの破折がより発生し易いためである。特に、このような構成の歯科用インプラント構造物においては、歯槽骨に対して強い癒着力を発揮できる太い直径のフィクスチャを植立することができないため、ネジの緩みおよび破折現象が深刻になる。
【発明の概要】
【発明が解決しようとする課題】
【００６３】
本発明は、前述した従来技術の問題点を考慮して、フィクスチャとアバットメントを結合するネジが咬合荷重による水平方向の応力によって緩むかまたは破折する現象が発生せず、且つ、従来技術のような円形のアバットメントだけでなく自然歯の形態に合わせてアバットメントの形状を自由に取ることができるようにアバットメントの形状に制限が加えられない構造の歯科用インプラント構造物を提供する。
【００６４】
特に、本発明は、アバットメントをフィクスチャに結合する時にアバットメントを回転させることなくフィクスチャに結合または分離できる構造の歯科用インプラント構造物を提供する。
【００６５】
また、本発明は、フィクスチャに印加される咬合荷重を耐えるように歯槽骨に対して強い癒着力を有する歯科用インプラント構造物を提供する。
【課題を解決するための手段】
【００６６】
前述した本発明の課題は、歯槽骨に固定されるフィクスチャ、該フィクスチャに結合され、人工歯が付着されるアバットメント、およびフィクスチャとアバットメントを結合する結合要素を含んで人工歯根を形成するものである本発明に係る歯科用インプラント構造物によって達成される。
【００６７】
本発明に係る歯科用インプラント構造物は、フィクスチャは歯槽骨に固定される下部とアバットメントが結合される上部とを含み、フィクスチャ下部の表面にはその一部または全体に歯槽骨に固定されるための第１ネジが形成され、フィクスチャ下部は該第１ネジの回転軸線に沿って延びる形状を有し、フィクスチャ上部の表面にはその一部または全体に第２ネジが形成され、フィクスチャ上部は該第２ネジの回転軸線に沿って延びる形状を有し、アバットメントには下端からフィクスチャ上部が挿入される内側の空洞が備えられ、その外側表面には人工歯が付着される表面が備えられ、結合要素は、内側にフィクスチャ上部の第２ネジと結合される第３ネジが形成され、該第３ネジの回転軸線に沿って延びる形状を有し、結合要素の一部または全体がアバットメントの空洞に挿入され、結合要素の周縁表面の一部または全体がアバットメント空洞の周縁表面と当接し、結合要素の第３ネジとフィクスチャ上部の第２ネジが互いに結合され、アバットメントはその一部または全体が第２ネジの回転軸線の方向に結合要素とフィクスチャとの間に置かれ、第３ネジと第２ネジの結合により結合要素がアバットメントをフィクスチャ下部側に圧迫するように構成され、フィクスチャ上部には結合要素の圧迫に対してアバットメントを支持する表面が備えられることによってアバットメントがフィクスチャに固定されるものである。
【００６８】
このような本発明に係る歯科用インプラント構造物の構成によれば、フィクスチャ下部を歯槽骨に固定した後にアバットメントの空洞にフィクスチャ上部が挿入されるようにしてアバットメントをフィクスチャ上部に定着させ、結合要素を回転させてその第３ネジがフィクスチャ上部の第２ネジと結合されるようにすることによってフィクスチャ、アバットメントおよび結合要素が互いに結合され、アバットメントはこれを回転させたりすることなく結合要素とフィクスチャとの間に固定支持されることによって本発明に係る歯科用インプラント構造物をなすようになる。
【００６９】
このような本発明の構成において、結合要素をアバットメント空洞に回転挿入して結合要素の第３ネジをフィクスチャ上部の第２ネジと結合すれば、結合要素がフィクスチャに結合されて固定されることによって、アバットメントはその一部または全体がフィクスチャ上部と結合要素との間に配置され、フィクスチャ下部側に圧迫されてフィクスチャ上部の表面で支持されるため、第２ネジの回転軸線の方向、すなわち、フィクスチャ上部の長さ方向に対して結合要素とフィクスチャとの間に固定支持される。
【００７０】
また、アバットメントの空洞に結合要素が挿入されてその周縁表面がアバットメント空洞の周縁表面と当接することにより、アバットメントはフィクスチャ上部の第２ネジの回転軸線に垂直した平面上での位置が固定される。
【００７１】
結合要素がアバットメントをフィクスチャに対して長さ方向に圧迫する力によってアバットメントとフィクスチャおよび結合要素の間に摩擦力が作用するため、アバットメントがフィクスチャや結合要素に対してそのネジの回転軸線に対して円周方向に固定されてアバットメントの回転が抑制される。
【００７２】
以上のような構成と作用によってアバットメントがフィクスチャに固定され、このような固定に要するネジ結合はフィクスチャ上部でなされるため、人工歯の上端面と該ネジ結合部位までの垂直距離が短くなる。
【００７３】
したがって、人工歯の上端面に作用する咬合荷重によって結合要素の第３ネジとフィクスチャの第２ネジのネジ山に作用する水平方向の応力が最小になって、ネジ結合の緩みの可能性およびネジの破折可能性が最小化する。
【００７４】
また、図１に示されたような類型の従来技術による歯科用インプラント構造物においては、フィクスチャにアバットメントを固定するためのネジがフィクスチャの歯槽骨に固定される部分の内側に形成されてネジの直径が小さく、フィクスチャの歯槽骨に固定される部分の厚さが薄くなってフィクスチャの強度がぜい弱になるが、本発明に係る歯科用インプラント構造物においては、フィクスチャにアバットメントを固定するために備えられる第２ネジはフィクスチャの歯槽骨に固定される下部でない、歯槽骨上側に配置される上部に形成されるため、従来技術による歯科用インプラント構造物に比べて第２ネジの直径を大きく形成することができるので、人工歯の咬合荷重によりネジ山に作用する水平方向の応力が小さくなり、歯槽骨に固定されるフィクスチャ下部の強度がぜい弱にならない。
【００７５】
また、本発明に係る歯科用インプラント構造物においては、アバットメントをフィクスチャに固定するためにアバットメントそのものを回転させることなく単にアバットメントをフィクスチャの長さ方向に移動させてフィクスチャ上部に定着させ、結合要素を回転させてアバットメントをフィクスチャに固定するため、アバットメントの結合時に人工歯が付着されるアバットメントの外側表面が周りの歯と干渉することが発生しない。
【００７６】
したがって、本発明に係る歯科用インプラント構造物においては、人工歯が付着されるアバットメントの外側表面の形状を人工歯の付着による必要に応じて様々な形状を取ることができる。
【００７７】
本発明において、アバットメントをフィクスチャに固定するための具体的な構成として、結合要素とアバットメントおよびフィクスチャ上部を次の幾つかの形態に構成することができる。
【００７８】
第１に、アバットメント空洞の周縁表面の一部または全体と結合要素の周縁表面はフィクスチャ下部に向かって直径方向内側に傾斜する傾斜面に形成され互いに当接することによって、アバットメントが結合要素とフィクスチャとの間に固定支持されるものに構成することができる。
【００７９】
このような構成によれば、結合要素をフィクスチャ上部にネジ結合することにより、結合要素の周縁表面がアバットメントの空洞の周縁表面を直径方向およびフィクスチャ下部の方向に圧迫し、フィクスチャ上部でアバットメントを支持するため、フィクスチャの長さ方向に対してアバットメントがフィクスチャに固定される。
【００８０】
特に、このような長さ方向の固定の他にもフィクスチャとアバットメントとの間および結合要素とアバットメントとの間に作用する摩擦力によってアバットメントの回転が防止され、結合要素の周縁表面がアバットメントの空洞周縁表面を直径方向に圧迫することによってフィクスチャの直径方向、すなわち、フィクスチャの第２ネジの回転軸線に垂直した平面上でのフィクスチャに対するアバットメントの固定がなされる。
【００８１】
第２に、アバットメントの空洞には結合要素の下端面が当接する表面が備えられることによって、アバットメントが結合要素とフィクスチャとの間に固定支持されるものに構成することができる。
【００８２】
このような構成によれば、結合要素の第３ネジをフィクスチャ上部の第２ネジに締結する締結力により、結合要素の下端面がアバットメント空洞の表面を押してアバットメントがフィクスチャ上部表面に圧迫支持されて、アバットメントとフィクスチャ上部の表面との間に摩擦力が作用してフィクスチャに対するアバットメントの回転も防止される。
【００８３】
第３に、結合要素にはアバットメントの上端面が当接する表面が備えられることによって、アバットメントが結合要素とフィクスチャとの間に固定支持されるものに構成することができる。
【００８４】
このような構成においても、結合要素の第３ネジとフィクスチャの第２ネジを互いに締結すれば、結合要素の第３ネジをフィクスチャ上部の第２ネジに締結する締結力により、結合要素の表面がアバットメントの上端面を強く押してアバットメントの下端面とフィクスチャ上部の表面との間に強い摩擦力が作用してフィクスチャに対するアバットメントの回転も防止される。
【００８５】
第４に、アバットメントの空洞には直径方向内側に突出する突出部が備えられ、該突出部の上端表面と結合要素の下端面が当接し、突出部の下端面とフィクスチャ上部が当接してアバットメントがフィクスチャに固定支持されるものに構成することができる。
【００８６】
このような構成においても、第３の様態と同様に、結合要素の第３ネジとフィクスチャの第２ネジを互いに締結すれば、結合要素の第３ネジをフィクスチャ上部の第２ネジに締結する締結力により、結合要素の表面がアバットメントの上端面を強く押してアバットメントの下端面とフィクスチャ上部の表面との間に強い摩擦力が作用してフィクスチャに対するアバットメントの回転も防止される。
【００８７】
本発明に係る歯科用インプラント構造物に対する付加構成として、フィクスチャ上部には第２ネジの回転軸線からの距離に偏差を有する周縁面が備えられ、アバットメントの空洞には該周縁面と噛み合う表面が備えられることによって、フィクスチャに対するアバットメントの回転が確実に防止されるように構成することができる。
【００８８】
本発明においては、結合要素の第３ネジとフィクスチャ上部の第２ネジのネジ結合に応じた結合力により、フィクスチャとアバットメントとの間および結合要素とアバットメントとの間に摩擦力が作用してアバットメントの回転が防止されるが、前述したフィクスチャ上部の周縁面およびそれと噛み合うアバットメントの表面によってアバットメントの回転がより確実に防止される。
【００８９】
また、アバットメントの回転を防止するためのまた他の付加構成として、フィクスチャ上部には第２ネジの回転軸線の長さ方向に平行した方向に延びる突起が形成され、アバットメントには該突起と噛み合う溝が形成されるものに構成するか、その逆に、アバットメントには第２ネジの回転軸線の長さ方向に平行した方向に延びる突起が形成され、フィクスチャ上部には該突起と噛み合う溝が形成されるものに構成することもできる。このような突起と溝が噛み合う構成によってもアバットメントの回転がより確実に防止される。
【図面の簡単な説明】
【００９０】
【図１】従来技術による歯科用インプラント構造物の縦断面図である。
【図２】従来技術による歯科用インプラント構造物の縦断面図である。
【図３】従来技術による歯科用インプラント構造物の縦断面図である。
【図４】従来技術による歯科用インプラント構造物においてネジ結合部位に作用する水平方向の応力の差を示すための概念的な縦断面図である。
【図５】本発明の第１実施形態による歯科用インプラント構造物の縦断面図である。
【図６】本発明の第１実施形態による歯科用インプラント構造物の分解斜視図である。
【図７】本発明の第１実施形態による歯科用インプラント構造物が前歯に適用された変形例を示す縦断面図である。
【図８】本発明の第２実施形態による歯科用インプラント構造物の縦断面図である。
【図９】本発明の第３実施形態による歯科用インプラント構造物の縦断面図である。
【図１０】本発明の第４実施形態による歯科用インプラント構造物の縦断面図である。
【図１１】本発明の変形例に係る歯科用インプラント構造物の縦断面図である。
【図１２】本発明の第５実施形態による歯科用インプラント構造物の縦断面図である。
【図１３】本発明の実施形態による歯科用インプラント構造物が奥歯に適用された例を示す縦断面図である。
【図１４】本発明の実施形態による歯科用インプラント構造物が奥歯に適用された例を示す縦断面図である。
【図１５】本発明の実施形態による歯科用インプラント構造物が奥歯に適用された例を示す横断面図である。
【発明を実施するための形態】
【００９１】
以下では、添付図面を参照して、本発明の実施形態の構成および作用について説明する。
【００９２】
先ず、図５および図６を参照して、本発明の第１実施形態による歯科用インプラント構造物３００の構成および作用について説明する。
【００９３】
第１実施形態による歯科用インプラント構造物３００は、歯槽骨１０に固定されるフィクスチャ３１０、該フィクスチャ３１０に結合され、人工歯が付着されるアバットメント３５０、およびフィクスチャ３１０とアバットメント３５０を結合する結合要素３７０からなっている。
【００９４】
フィクスチャ３１０は一体に形成されるものであるが、その機能上、上部３２０と下部３３０に区分し、フィクスチャ下部３３０は、円周型の表面に第１ネジ３３１が形成され、全体的に該第１ネジ３３１の回転軸線Ｃ−Ｃに沿って延びる形態に形成されている。図面上、第１ネジ３３１はフィクスチャ下部３３０の全体表面に形成されたものとして示されているが、該第１ネジ３３１はフィクスチャ下部３３０の表面の一部のみに形成されてもよい。
【００９５】
図５に示すように、フィクスチャ下部３３０はその全体が歯槽骨１０に植立され、第１ネジ３３１はフィクスチャ３１０が歯槽骨１０に植立されて歯槽骨組織との癒着がなされるようにする。
【００９６】
図示されてはいないが、フィクスチャ下部３３０の表面の一部にはネジ山３３１の一部を切削してタッピングエッジ（ｔａｐｐｉｎｇ  ｅｄｇｅ）を形成することができる。このようなタッピングエッジは、歯槽骨にフィクスチャを植立するための穴を形成した後にフィクスチャを歯槽骨に植立する時に歯槽骨にネジが形成されるのに助力をする作用をする。
【００９７】
フィクスチャ上部３２０は、下端から上端側に大きく３つの部分からなっており、下方から、歯肉２０が当接するように滑らかな周縁表面３２２を有した連結部３２１、連結部３２１から上側に延び、八角形の断面形状からなる周縁面３２６を有する回転防止部３２５、および回転防止部３２５から上側に延び、その上部の周縁に第２ネジ３２８が連続的に形成された結合部３２７が順に形成されている。
【００９８】
フィクスチャ上部３２０は全体的に結合部３２７の第２ネジ３２８の回転軸線Ｃ−Ｃに沿って延びる形態を有し、フィクスチャ上部をなす連結部３２１と回転防止部３２５および結合部３２７が全て同一な回転軸線Ｃ−Ｃを中心にする同心に形成されている。
【００９９】
フィクスチャ上部３２０と下部３３０は一つの回転軸線Ｃ−Ｃに沿って形成され、第１ネジ３３１と第２ネジ３２８は同一な回転軸線Ｃ−Ｃを有しているが、フィクスチャの上部３２０と下部３３０および第１ネジ３３１と第２ネジ３２８は必要に応じて互いに偏心して形成されてもよい。
【０１００】
アバットメント３５０は全体的に回転軸線Ｃ−Ｃに沿って延びる形状で設けられており、その周縁表面３５１が下部で歯肉２０と当接して上側に延びて人工歯３４０が付着される表面を形成しており、周縁表面３５１の内側にはアバットメントの上端から下端まで貫通する空いた空間である空洞３５２が形成されている。
【０１０１】
空洞３５２は回転軸線Ｃ−Ｃを中心にする円筒形に形成されており、下側には回転軸線Ｃ−Ｃに向かって直径方向内側に突出する突出部３５３およびフィクスチャ上部の回転防止部３２５と噛み合う噛合部３５６が形成されている。
【０１０２】
突出部３５３は概して長方形の断面を有し、その上端面は結合要素３７０の下端面３７４と当接して、後述するように結合要素３７０がフィクスチャ上部３２０にネジ結合されることにより結合要素３７０が加える加圧力を受けるようになっている。また、突出部３５３の下端面は、支持表面を形成するフィクスチャ上部３２０の回転防止部３２５の上端面３２３と当接するように形成されている。
【０１０３】
本実施形態において、突出部３５３は長方形に形成されているが、このような形態に限定されるものではなく、結合要素３７０の下端面と当接してその加圧力を受けることができる形態であれば、いかなる形態であってもよい。
【０１０４】
また、アバットメントの空洞３５２の突出部３５３の下方の部分は、フィクスチャ上部の回転防止部３２５と噛み合うようにその表面が回転防止部３２５と相補する形状および大きさの八角形の断面に形成され、フィクスチャの回転防止部３２５の高さと同一であるかまたは若干大きい高さを有する噛合部３５６として形成されている。
【０１０５】
結合要素３７０は全体的に円筒形に形成され、その下端から上側に内側に空洞３７１が形成され、その周縁に第３ネジ３７２が形成されている。結合要素３７０の円筒形の周縁表面３７３と第３ネジ３７２は同心をなし、フィクスチャ３１０およびアバットメント３５０と結合された時に回転軸線Ｃ−Ｃがその中心軸線をなしている。
【０１０６】
これらのフィクスチャ３１０、アバットメント３５０および結合要素３７０の結合関係について、第１実施形態による歯科用インプラント構造物３００の植立過程と共に説明する。
【０１０７】
先ず、歯槽骨１０にドリルなどによってフィクスチャ下部３３０が挿入される穴を形成し、フィクスチャ３１０を回転させながら挿入する。挿入する過程で、フィクスチャ下部３３０の第１ネジ３３１が歯槽骨１０にネジを形成しつつ歯槽骨１０に固定される。フィクスチャ上部３２０は歯槽骨１０の上端から突出した状態になる。フィクスチャ下部３３０が歯槽骨１０に固定された状態では、歯槽骨組織へのフィクスチャ３１０の癒着がなされるまでアバットメント３５０の結合やその他の施術が行われないが、これに対して本明細書では説明を省略する。
【０１０８】
次に、フィクスチャ３１０が歯槽骨１０に固定された状態で、フィクスチャ上部３２０の回転防止部３２５と結合部３２７がアバットメント３５０の空洞３５２に挿入されるようにしてアバットメント３５０をフィクスチャ上部３２０に定着させる。
【０１０９】
この状態で、フィクスチャ上部の回転防止部３２５の上端面３２３がアバットメント３５０の突出部３５３の下端面と当接することによってアバットメント３５０が長さ方向にフィクスチャ上部３２０によって下方から支持される状態になり、アバットメントの噛合部３５６はフィクスチャの回転防止部３２５と噛み合う状態になって、アバットメント３５０がフィクスチャ３１０に対して回転できない、回転方向に対して固定される状態になる。
【０１１０】
このような状態で結合要素３７０を締結する。結合要素３７０をアバットメントの空洞３５２に挿入して結合要素の第３ネジ３７２とフィクスチャ上部の第２ネジ３２８を締結する。結合要素３７０の上端面には工具溝３７５が形成されており、ドライバーなどの工具を該工具溝３７５に挿入して回転させることによって結合要素３７０を回転させてネジ締結が行われる。
【０１１１】
フィクスチャの第２ネジ３２８と結合要素の第３ネジ３７２が締結された状態で、結合要素の周縁表面３７３とアバットメント空洞３５２の周縁表面は互いに当接して支持される状態になり、結合要素の下端面３７４はアバットメントの突出部３５３の上端面と当接してアバットメントの突出部３５３を下方へ圧迫する状態になる。
【０１１２】
このような結合要素の締結によって本実施形態による歯科用インプラント構造物３００の結合が完了し、人工歯３４０が付着されるアバットメント３５０がフィクスチャ３１０に対して完全な固定状態をなす。
【０１１３】
すなわち、アバットメント空洞３５２の周縁表面が結合要素３７０の周縁表面３７３と当接し、結合要素３７０はフィクスチャ上部３２０にネジ結合されているため、回転軸線Ｃ−Ｃに垂直した平面上でのアバットメント３５０の位置がフィクスチャ３１０に対して固定される。
【０１１４】
次に、アバットメント３５０の空洞３５２の突出部３５３の下端面がフィクスチャ上部３２０の回転防止部３２５の上端面３２３に当接して支持され、突出部３５３の上端面が結合要素３７０の下端面３７４に当接し、結合要素３７０はフィクスチャ上部３２０にネジ結合されて固定されているため、アバットメント３５０は結合要素３７０とフィクスチャ上部３２０との間で回転軸線Ｃ−Ｃの方向に移動することができないようにその位置が固定される。
【０１１５】
最後に、アバットメント３５０は空洞３５２の周縁表面と結合要素３７０の周縁表面３７３との摩擦力、そして突出部３５３とフィクスチャ上部３２０および結合要素３７０が当接した表面の間の摩擦力によって回転軸線Ｃ−Ｃを中心にした回転が防止されるが、それに加えて、周縁表面が八角形に形成されるアバットメントの噛合部３５６とフィクスチャ上部の回転防止部３２５の噛み合いによって回転が不可能になる。
【０１１６】
一方、第１実施形態による歯科用インプラント構造物において、フィクスチャ上部の回転防止部３２５とアバットメントの噛合部３５６を八角形に形成しているが、これらの断面形状は八角形に限定されるものではなく、多角形や楕円または回転軸線Ｃ−Ｃから偏心した円に形成されてもよく、いかなる形態でも回転軸線Ｃ−Ｃからの距離に偏差を有する形態を有するものに形成されてもよい。
【０１１７】
以上の第１実施形態による歯科用インプラント構造物の構成および作用によれば、次のような３つの長所を得ることができる。
【０１１８】
第１に、アバットメント３５０をフィクスチャ３１０に固定するためのネジ結合がフィクスチャ上部３２０に形成されるため、文献１の歯科用インプラント構造物２００が図１のサブマージドタイプの歯科用インプラント構造物１００に比べて咬合荷重によりネジ締結部位に作用する水平応力が減少することと同様に、人工歯３４０に作用する咬合荷重により第２ネジ３２８と第３ネジ３７２のネジ山に作用する水平方向の応力が最小化して、ネジ締結が緩んだりネジが破折する恐れがないかまたは顕著に減少する。
【０１１９】
第２に、アバットメント３５０の周縁表面３５１は人工歯３４０が付着される表面をなすものであり、該周縁表面３５１にはフィクスチャ３１０または結合要素３７０との結合のためのいかなる要素も配置または形成される必要がないため、該周縁表面３５１の形態や寸法にはいかなる制約もない。したがって、該周縁表面３５１は、そこに付着される人工歯３４０に好適な形態と寸法を有することができる。
【０１２０】
第３に、アバットメント３５０と結合要素３７０をフィクスチャ３１０に結合するにおいて、アバットメント３５０に直接に固定のための力を印加したりアバットメント３５０を回転させたりすることなく、単にアバットメント３５０をフィクスチャの長さ方向に沿ってフィクスチャ上部３２０に定着させることによってアバットメントをフィクスチャに固定することができる。
【０１２１】
したがって、歯科用インプラント構造物の植立時にフィクスチャにアバットメントを結合するにおいて、アバットメントが歯科用インプラント構造物の植立部位周辺の他の歯と干渉することがなく、その結果、アバットメントの外側表面の形状と寸法を必要に応じて自由に選択することができる。
【０１２２】
一方、第１実施形態による歯科用インプラント構造物には、フィクスチャ下部３３０の上端からその長さ方向に下方に一定の長さでその材料を除去して回転軸線Ｃ−Ｃに対して互いに平行するように配置される２個の平面形態の癒着面３３２が形成されている。該癒着面３３２は、回転軸線Ｃ−Ｃに最も近い地点がフィクスチャ下部３３０の第１ネジ３３１の溝の内側に配置される深さに形成されている。
【０１２３】
歯科用インプラント構造物が植立される歯槽骨の上部が非常に狭い場合には、非常に小さい直径のフィクスチャを用いても十分な残存骨幅を確保することができず、さらには、非常に小さい直径のフィクスチャを用いる場合には、フィクスチャと歯槽骨との間の十分な癒着面積を得ることができない。
【０１２４】
しかし、本発明の実施形態による歯科用インプラント構造物においては、歯槽骨の骨幅が狭い側面と当接するフィクスチャ下部３３０の表面から材料を除去して癒着面３３２を形成しているため、該癒着面３３２と当接する歯槽骨１０の部分で十分な残存骨幅が確保される。特に、該癒着面３３２は、内側の海綿骨１２に比べて比較的に骨質が緻密な緻密骨１１の上部と当接するフィクスチャ下部３３０の上端から下方に形成されるため、咬合荷重を主に支持する緻密骨１１の上部で歯槽骨組織とフィクスチャの癒着を増進させる。
【０１２５】
したがって、本発明に係る歯科用インプラント構造物においては、歯槽骨の特定部分の骨幅が狭い場合、そのような骨幅に合わせて小直径のフィクスチャを用いず、十分な癒着面積を得ることができる大直径のフィクスチャを用いつつ、骨幅が狭い歯槽骨部位と当接するフィクスチャ表面から扁平面または曲面に材料を除去して、求められる厚さの残存骨幅を維持することができる。
【０１２６】
また、癒着面は歯槽骨の状態と形態に応じて様々な形態にフィクスチャの表面にかけて一つまたは幾つかを形成することができ、その形態においてもフィクスチャ下部３３０を平面に切削した形態の他にも窪んだ曲面の癒着面、膨らんだ曲面の癒着面などのように患者の歯槽骨の形態と状態に応じて様々な形態の癒着面を組み合わせて用いることができる。
【０１２７】
特に、本発明に係る歯科用インプラント構造物においては、フィクスチャ下部３３０にはアバットメント３５０の結合のために穴を形成したり材料が除去された部分を形成したりすることがないため、必要に応じて様々な形態の癒着面を自由に形成することができる。
【０１２８】
このような癒着面は、第１実施形態による歯科用インプラント構造物だけでなく、以下にて説明する他の実施形態による歯科用インプラント構造物にもそのとおりに適用することができる。
【０１２９】
このような第１実施形態による歯科用インプラント構造物においては、前歯に適用するのに好適な形状のアバットメントを適用することができる。
【０１３０】
図７は、第１実施形態による歯科用インプラント構造物を前歯に適用した例を示す図であり、口腔内で上側の前歯に歯科用インプラント構造物３００’が施術された状態を示している。
【０１３１】
図７に示された歯科用インプラント構造物３００’におけるアバットメント３５０’は、周縁表面３５１’の全体的な形状が前歯を代替する人工歯３４２の形状に合わせられている。
【０１３２】
すなわち、アバットメントの周縁表面３５１’が回転軸線Ｃ−Ｃに対して垂直方向での長さに偏差を有し、アバットメントの下端から回転軸線Ｃ−Ｃに沿って上側に長さが延び、最終的には上端面の中心Ｃ’が回転軸線Ｃ−Ｃから大きく偏心している形状であるため、全体的に回転軸線Ｃ−Ｃを基準に非対称の形状をなしている。
【０１３３】
また、結合要素３７０を収容しているアバットメント３５０’の空洞３５２’は回転軸線Ｃ−Ｃに沿って延びるため、空洞３５２’の上端がアバットメント３５０’上端面でない外側面に形成されるという点においても図５および図６に示された形態と差がある。
【０１３４】
しかし、アバットメントをフィクスチャに固定する作業は勿論、フィクスチャや結合要素のその他の形態や構成は第１実施形態のそれと同様である。
【０１３５】
前述したように、前歯に好適なこのような形状のアバットメント３５０’は、向き合う前歯または食物などとの接触によって荷重が作用する咀嚼時に回転軸線に垂直した方向に応力を多く受けるため、必然的に回転軸線Ｃ−Ｃを軸にしたトルクを強く受けるが、第１実施形態による歯科用インプラント構造物の構成を前歯に適用した該歯科用インプラント構造物３００’の場合、回転防止部３２５の直径をフィクスチャ上部の直径と同一に形成することができるため、相対的に強い回転防止効果を有するようになる。
【０１３６】
次に、図８参照して、本発明の第２実施形態について説明する。第２実施形態による歯科用インプラント構造物３００−２は、結合要素３７０−２の周縁表面３７３−２およびアバットメントの空洞の内側表面３５４−２が傾斜面として形成されているという点で、第１実施形態による歯科用インプラント構造物３００と差がある。
【０１３７】
以下の説明および図面の図示において、第１実施形態と実質的に同一な構成に対しては、同一な図面符号を付してその説明は省略し、第１実施形態による歯科用インプラント構造物３００と相異した点についてのみ説明する。
【０１３８】
先ず、フィクスチャ上部３２０−２には連結部３２１−２に支持表面として上端面３２３−２がさらに形成され、それにアバットメント３５０−２の下端面３５５が当接する。
【０１３９】
図８において、アバットメント３５０−２の周縁表面３５１−２はその下端側で歯肉２０と当接するものとして示されているが、連結部３２１−２の周縁表面３２２−２のみが歯肉２０と当接するように形成されてもよい。
【０１４０】
結合要素３７０−２の周縁表面３７３−２はフィクスチャ下部に向かって回転軸線Ｃ−Ｃに垂直する方向の内側に傾斜して形成されている。それに相応してアバットメント３５０−２の空洞の内側表面３５４−２も傾斜して形成されて結合要素３７０−２の周縁表面３７３−２と噛み合っている。
【０１４１】
このようにアバットメントの空洞の内側表面３５４−２と結合要素の周縁表面３７３−２が傾斜することによって、結合要素３７０−２をフィクスチャ上部３２０−２に結合すれば、アバットメント３５０−２が長さ方向にフィクスチャ上部３２０−２と結合要素３７０−２との間に固定され、結合要素３７０−２とアバットメント３５０−２間の噛み合う表面積が増加して摩擦力による結合要素３７０−２に対するアバットメント３５０−２の固定効果が増大する。
【０１４２】
全体的に本実施形態による歯科用インプラント構造物３００−２は、第１実施形態によるインプラント構造物３００と比較して次のような長所がある。
【０１４３】
第１実施形態においても、アバットメント３５０の突出部３５３によってフィクスチャに対するアバットメントの長さ方向および直径方向への固定が十分に確保されるが、第２実施形態においては、アバットメント下端にフィクスチャ上部３２０−２の連結部の上端面３２３−２と当接する下部面３５５がさらに備えられ、結合要素の周縁表面３７３−２が傾斜することによって、アバットメントがフィクスチャにより確実に固定され、咬合荷重に対する支持効果が向上する。
【０１４４】
次に、図９を参照して、本発明の第３実施形態による歯科用インプラント構造物３００−３の構成と作用について説明する。
【０１４５】
第３実施形態による歯科用インプラント構造物３００−３は、結合要素３７０−３の上部にアバットメント３５０−３に対する支持部３７６が形成され、アバットメントに結合要素の下端面と当接する表面が形成されているという点で、他の実施形態とは区別される。
【０１４６】
以下では第１実施形態と相異した構成についてのみ説明し、以下の説明および図面の図示において、第１実施形態と実質的に同一な構成に対しては、同一な図面符号を付してその説明は省略する。
【０１４７】
第３実施形態による歯科用インプラント構造物３００−３において、フィクスチャ上部３２０−３には、アバットメント３５０の回転を防止するための別の構成、すなわち、第１実施形態の回転防止部３２５のような要素は形成されていない。
【０１４８】
また、第３実施形態による歯科用インプラント構造物３００−３には、第１実施形態のようにアバットメント３５０の空洞３５２の内側に突出する突出部３５３は備えられていない。
【０１４９】
その代わりに、アバットメント３５０−３はその空洞の周縁表面３５４−３の下部が結合要素３７０−３の下端面３７４と当接し、アバットメント３５０−３の空洞内に第１実施形態における噛合部３５６が形成されていない。
【０１５０】
このような構成により、アバットメント３５０−３の下端面３５５−３はフィクスチャの連結部３２１の上端面３２３−３全体と当接し、該上端面３２３−３は支持表面を形成するようになる。
【０１５１】
図９において、アバットメントの周縁表面３５１−３は歯肉２０と当接していないが、連結部３２１−３と共に歯肉２０と当接するように形成されてもよい。
【０１５２】
また、結合要素３７０−３の上部にはアバットメント３５０−３の上端面と当接する表面が形成され、回転軸線Ｃ−Ｃに対して半径方向外側に突出する支持部３７６が形成され、該支持部３７６の周縁には回転用工具が噛み合う表面３７７が形成されている。しかし、このように構成せず、第１および第２実施形態のように結合要素の上端面の中央に工具溝３７５を形成してもよい。
【０１５３】
以上の構成を有した第３実施形態による歯科用インプラント構造物３００−３において、アバットメント３５０−３の空洞にフィクスチャ上部３２０−３を挿入した後、結合要素３７０−３を回転させる。
【０１５４】
それにより、結合要素の下端面３７４がアバットメント３５０−３を圧迫しており、回転の最終ステップで結合要素の支持部３７６がアバットメントの上端面を圧迫することによって、連結部３２１−３の上端面３２３−３とアバットメントの下端面３５５−３が互いに当接するようになって、アバットメント３５０−３がフィクスチャ上部３２０−３に支持されると共にアバットメントの回転が抑制される。
【０１５５】
また、支持部３７６によってアバットメントがフィクスチャ上部に対して長さ方向に固定され、アバットメントの空洞の内側表面３５４−３と結合要素の周縁表面３７３−３が互いに噛み合うことに応じた摩擦力によって回転軸Ｃ−Ｃに垂直した方向にアバットメントが固定される。
【０１５６】
したがって、第３実施形態による歯科用インプラント構造物３００−３においては、第１実施形態のような回転防止部３２５が形成されていないにもかかわらず、特に結合要素の支持部３７６による圧迫によりアバットメントとフィクスチャ上部間の広い接触面積での強い摩擦によってアバットメントの回転防止機能を達成することができ、アバットメントとフィクスチャ間に広い支持表面が形成されるため、咀嚼時にフィクスチャに加えられる垂直咬合荷重を確実に支持することができる。
【０１５７】
一方、第３実施形態による歯科用インプラント構造物において、アバットメントの空洞の周縁に結合要素の下端部と当接する表面が形成されず、結合要素の下端面がアバットメント上部の連結部の上端面の一部と直接に当接するように構成してもよい。この場合、必要に応じて、結合部３２７の周縁の全体に第２ネジが形成されてもよい。
【０１５８】
また、第３実施形態による歯科用インプラント構造物においても、第２実施形態のように、結合要素の周縁表面およびアバットメント空洞の周縁表面を傾斜して構成してもよい。
【０１５９】
次に、図１０を参照して、第４実施形態による歯科用インプラント構造物３００−４の構成および作用について説明する。
【０１６０】
以下の説明および図面の図示において、実質的に第３実施形態による歯科用インプラント構造物３００−３と同一な構成に対しては、同一な図面符号を付してその説明は省略する。
【０１６１】
第４実施形態によるインプラント構造物３００−４は、アバットメント３５０−４がフィクスチャ３１０−４に対して回転するのを防止するための構成として溝３５７と突起３２４という構成を付加したという点で、第３実施形態によるインプラント構造物３００−３の構成とは区別される。
【０１６２】
第４実施形態によるインプラント構造物３００−４において、アバットメントの下端面３５５−４には回転軸線Ｃ−Ｃの周りに円周方向に離隔して配置される複数の溝３５７が形成され、フィクスチャ上部３２０−４の連結部の上端面３２３−４には溝３５７と噛み合う複数の突起３２４が形成されている。溝３５７と突起３２４が互いに噛み合うことによって、アバットメント３５０−４がフィクスチャ３１０−４に対して回転軸線Ｃ−Ｃに対して回転するのを防止する。
【０１６３】
溝３５７と突起３２４は幾つかが形成されるものとして説明したが、これらは唯一つのみ形成してもアバットメントの回転を防止することができる。
【０１６４】
一方、第４実施形態においては、アバットメントには溝３５７が形成され、フィクスチャ上部には突起３２４が形成されているが、逆に図１１に示された変形例に係る歯科用インプラント構造物３００−４’においては、アバットメントの下端面に突起３５７’を形成し、フィクスチャ上部の連結部上端面に溝３２４’を形成しており、このように構成しても同様な作用と効果を得ることができる。
【０１６５】
次に、図１２を参照して、本発明の第５実施形態について説明する。第５実施形態による歯科用インプラント構造物３００−５は、結合要素３７０−５がアバットメント３５０−５の空洞に挿入されず、その下端面３７４−５がアバットメントの上端面３５９に当接するように構成されたという点で、第１〜第４実施形態による歯科用インプラント構造物３００と差がある。
【０１６６】
以下の説明および図面の図示において、第１実施形態と実質的に同一な構成に対しては、同一な図面符号を付してその説明は省略し、第１実施形態による歯科用インプラント構造物３００と相異した点についてのみ説明する。
【０１６７】
第５実施形態による歯科用インプラント構造物３００−５において、フィクスチャ上部３２０−５はその回転防止部３２５の上側に円筒形の結合部３２７−５が形成され、結合部の上部には第２ネジ３２８が形成され、下側は円筒形の表面３２９に形成されている。
【０１６８】
アバットメントの空洞３５２−５から噛合部３５６の上側の表面３５８はフィクスチャ上部の結合部３２７−５下側の表面３２９と当接する大きさの直径を有する円筒形に形成されているため、アバットメント３５０−５がフィクスチャ上部３２０−５に結合されれば、アバットメント空洞３５２−５の表面３５８がフィクスチャ上部の結合部３２７−５の表面３２９と当接するようになっている。
【０１６９】
結合要素３７０−５は全体的に円筒形に形成され、下端面３７４−５から上側に内側の空洞３７１に第３ネジ３７２が形成されている。
【０１７０】
アバットメント３５０−５の空洞３５２−５にフィクスチャ上部３２０−５を挿入してアバットメント３５０−３をフィクスチャ上部３２０−５に定着させれば、フィクスチャ上部の第２ネジ３２８はアバットメント３５０−５の上端面３５９から上側に突出し、これに結合要素の第３ネジ３７２がネジ結合される。
【０１７１】
このようなネジ結合によって結合要素の下端面３７４−５がアバットメント３５０−５の上端面３５９が当接してアバットメント３５０−５を下方に圧迫し、アバットメント３５０−５は下方からフィクスチャ上部３２０−５によって支持されることによって、アバットメント３５０−５は結合要素３７０−５とフィクスチャ上部３２０−５との間に固定支持される。
【０１７２】
アバットメント３５０−２がフィクスチャ上部の回転防止部３２５によってその回転が防止されるのは第１実施形態と同様であるが、第５実施形態による歯科用インプラント構造物３００−５において、第４実施形態と同様に、フィクスチャ上部にアバットメントに対する支持表面を備え、フィクスチャ上部とアバットメント下端に溝または突起を備えることによって、アバットメントの回転防止および長さ方向への支持がなされるように構成することもできる。
【０１７３】
次に、本発明の第２実施形態による歯科用インプラント構造物３００−２が奥歯部位に適用された例について図１３〜１５を参照して説明する。
【０１７４】
図１３において、中央に位置した自然歯の奥歯１の左側には奥歯に好適なアバットメント３５０−２を付着した第２実施形態による歯科用インプラント構造物３００−２が植立され、自然歯の奥歯１の右側には文献１の発明に係る円周型のアバットメント２５０を備えた歯科用インプラント構造物２００’が植立されているのが示されている。
【０１７５】
図１５は、図１３のＦ−Ｆ線に沿ってとった横断面図である。
【０１７６】
図１５に示すように、奥歯の人工歯３４１は、線Ｄ−Ｄ方向とＥ−Ｅ方向の幅Ｄ１、Ｄ２が非常に相異している。このような奥歯の人工歯３４１の形態は該人工歯が代替する自然歯の奥歯１の形態に合わせたものであり、そのように形成することによって周辺歯とよく整合する形態を有するようになる。
【０１７７】
したがって、このような人工歯が付着されるアバットメント３５０−２も、奥歯の人工歯３４１の形状に相応して不均一な形状をなしている。
【０１７８】
図１５において、結合要素３７０−２とアバットメント空洞の表面は直径がｄ１の円形に形成されているが、アバットメント３５０−２の周縁表面３５１−２はその幅ｄ２、ｄ３が均一でなく、概して人工歯３４１の断面形状に合わせられており、奥歯に適している。
【０１７９】
図１３は、奥歯を代替する人工歯３４１が付着された各々の歯科用インプラント構造物が隣接した自然歯の奥歯１と周りの歯肉２０と共に調和をなしている関係を人工歯の幅の広い方向（図１５の線Ｅ−Ｅの方向）から示す縦断面図であり、図１４は、図１３の左側のインプラント構造物が歯肉２０と調和をなしているのを人工歯の幅の狭い方向（図１５の線Ｄ−Ｄの方向）から示す縦断面図である。図１３と図１４を対照すれば分かるように、自然歯１左側のインプラント構造物３００−２’におけるアバットメント３５０−２は、その周縁表面３５１−２が回転軸線Ｃ−Ｃからの距離が均一でない非対称の形状をなしているのを確認することができる。
【０１８０】
したがって、このような本発明の実施形態においては、アバットメント３５０−２を回転させることなくフィクスチャ上部３２０−２に対して垂直に移動させて定着されるため、アバットメント３５０−２の周縁表面３５１−２の形状が不均一または非対称であっても、その結合時に周辺歯と干渉することが発生せず、人工歯３４１が周辺歯とよく整合する形態に形成されることができる。
【０１８１】
また、このようにアバットメント３５０−２の不均一または非対称の形状にもかかわらず、フィクスチャ上部３２０−２や結合要素３７０−２の形態や構成の変更を要しない。
【０１８２】
図１３に示すように、奥歯に好適なアバットメント３５０−２を採択することによって、人工歯３４１の形状が周辺歯と歯肉２０との整合がよくなされているのを確認することができる。
【０１８３】
具体的に説明すれば、アバットメント３５０−２のＦ−Ｆ線方向への長さが自然歯の奥歯１の歯冠のＦ−Ｆ線方向への長さだけ大きくなっており、その結果、人工歯３４１を付着した時、図１３で「Ｃ１」と表示した部分において、隣接した自然歯の奥歯１と人工歯３４１の歯冠が良好な接触状態をなしており、下方の「ｇ１」部分には適切な孔隙が形成されている。
【０１８４】
その反面、自然歯の奥歯１０の右側に位置した歯科用インプラント構造物２００’は円周型のアバットメント２５０を採択するしかなく、その結果、自然歯の奥歯に相応する形状を有する人工歯を付着することができない。
【０１８５】
勿論、右側の歯科用インプラント構造物２００’においても幅の広い人工歯を付着して周辺歯との接触Ｃ２がなされるようにしているが、アバットメント２５０の大きさに比べて過度に大きい人工歯２４０’を付着することによってアバットメントに対する人工歯の付着が弱くなり、特に人工歯２４０’の下部で周辺歯との孔隙ｇ２が過度に大きくなるという問題がある。
【０１８６】
その結果、本発明に係る歯科用インプラント構造物においては、人工歯が付着されるアバットメントの外側表面の形状を自由に選択することによって人工歯が周辺歯とよく整合しており、それにより、歯間の孔隙が小さくなり、歯間の接触が良好であるために食物の咀嚼時に食物と歯垢が付きにくいので、口腔衛生管理が容易になって、インプラントの長期予後が良くなる。また、アバットメントの周縁面積が増加するため、人工歯のアバットメントに対する維持力が良くなって容易に脱落しないという長所もある。
【０１８７】
それと同様に、図１４に示すように、アバットメント３５０−２の図１５のＤ−Ｄ線方向への長さが歯肉２０のＤ−Ｄ線方向への長さに相応して形成されるため、人工歯３４１を付着した後の歯肉と人工歯の外形線が会ってなす角度Ａが鋭角でない、非常に緩やかな鈍角になるのを確認することができる。
【０１８８】
したがって、口腔に残った食物が歯肉２０と人工歯３４１が会う部位にくっつく不便がないため、口腔衛生管理が容易である。
【０１８９】
その反面、図１に示された従来技術による歯科用インプラント構造物１００においては、本実施形態のような構成のアバットメントを形成する場合には、構造的に大きい咬合荷重により結合ネジが緩み易く、さらにはフィクスチャの破折も発生するという問題があり、文献１の歯科用インプラント構造物２００においては、隣接歯との干渉のためにフィクスチャに自由な形状のアバットメントを取付けるのが不可能な問題がある。
【０１９０】
本発明に係る歯科用インプラント構造物においては、フィクスチャとアバットメント間のネジ結合位置がフィクスチャ下部からフィクスチャ上部に移動して咬合荷重が作用する人工歯と近くなるため、咬合荷重に応じた応力が減少してネジの緩み現象および破折現象を解決することができ、結合要素を採択したアバットメント結合方式により、従来技術の円周型のアバットメントだけでなく、奥歯と前歯に好適な形状を有したアバットメントの使用が可能となる。
【０１９１】
一方、本発明の第２実施形態の構成を挙げて回転軸線Ｃ−Ｃからその周縁表面までの長さが一定でない自由な形状のアバットメントを採択できるということを説明したが、このことは第２実施形態にのみ適用可能なものであるわけではなく、前述した本発明の全ての実施形態においてもアバットメントの形状を自由に形成することができ、そのような長所は本発明の固有な特徴である。
【０１９２】
以上、本発明の好ましい実施形態について説明したが、本発明はこのような実施形態に限定されず、本発明の各々の実施形態において説明した特徴的な構成は他の実施形態に適用し互いに組み合わせてもよく、特に特許請求の範囲に記載された範囲内で様々な変更と変形および構成の付加が可能であり、そのような様々な変更と変形および構成の付加は本発明の範囲に属するものである。
【図１】
2019524384.tif 000003
【図２】
2019524384.tif 000004
【図３】
2019524384.tif 000005
【図４】
2019524384.tif 000006
【図５】
2019524384.tif 000007
【図６】
2019524384.tif 000008
【図７】
2019524384.tif 000009
【図８】
2019524384.tif 000010
【図９】
2019524384.tif 000011
【図１０】
2019524384.tif 000012
【図１１】
2019524384.tif 000013
【図１２】
2019524384.tif 000014
【図１３】
2019524384.tif 000015
【図１４】
2019524384.tif 000016
【図１５】
2019524384.tif 000017
【国際調査報告】
2019524384.tif 000018
2019524384.tif 000019
2019524384.tif 000020
2019524384.tif 000021
2019524384.tif 000022
2019524384.tif 000023
2019524384.tif 000024
2019524384.tif 000025